(57)【要約】【課題】テンションバランサの変位量が所定値を超えた場合等に、遠距離からでも確実にテンションバランサの動作状態を視認により確認できるようにしたテンションバランサの動作表示装置を提供すること。【解決手段】電車線Ｔの伸縮に応じたテンションバランサ１の変位量を表示するテンションバランサ１の動作表示装置において、電車線Ｔの伸縮に応じたテンションバランサ１の変位に追従して移動するように動作表示ロッド２を取り付けるとともに、テンションバランサ１の変位量が所定値を超えた場合に、動作表示ロッド１から離脱して表示を行う表示部材５１、５３を配設する。【選択図】図１
2005160237.tif 000002
【特許請求の範囲】
【請求項１】
電車線の伸縮に応じてコイルばねの弾性を利用して電車線に一定の張力を付与するようにしたテンションバランサにおける電車線の伸縮に応じたテンションバランサの変位量を表示するテンションバランサの動作表示装置において、電車線の伸縮に応じたテンションバランサの変位に追従して移動するように動作表示ロッドを取り付けるとともに、テンションバランサの変位量が所定値を超えた場合に、動作表示ロッドから離脱して表示を行う表示部材を配設したことを特徴とするテンションバランサの動作表示装置。
【請求項２】
表示部材が、動作表示ロッドに嵌挿した変位表示片からなり、テンションバランサの変位量が所定値を超えた場合に、前記変位表示片が動作表示ロッドの端部から離脱して該端部に吊り下げた係止部に係止されることを特徴とする請求項１記載のテンションバランサの動作表示装置。
【請求項３】
表示部材が、動作表示ロッドに嵌挿した変位表示片に操作される揺動変位表示片からなり、テンションバランサの変位量が所定値を超えた場合に、前記揺動変位表示片の先端部の係止が解除されて揺動変位表示片の先端部が動作表示ロッドから離脱して揺動変位表示片が吊り下げ状態にされることを特徴とする請求項１記載のテンションバランサの動作表示装置。
【発明の詳細な説明】
【技術分野】
【０００１】
本発明は、テンションバランサの動作表示装置に関し、特に、テンションバランサの変位量が所定値を超えた場合等に、遠距離からでも確実にテンションバランサの動作状態を確認できるようにしたテンションバランサの動作表示装置に関するものである。
【背景技術】
【０００２】
従来、電車線は電車の安全走行を図るため、常に一定の張力で張架できるように、電車線の端部にテンションバランサを取り付け、これにより、気温変化等による電車線の伸縮を吸収して電車線の張力の変動をなくすとともに、電車の通過によるパンダグラフの摺動にて発生する電車線の流れを吸収するようにしている。
そして、このテンションバランサとしては、電車線の端部にバランス用ウェイトを吊垂支持し、このウェイトにて電車線に一定の張力を付与するようにした滑車バランスウェイト方式のものと、コイルばねを内蔵し、電柱などの固定側に取り付ける外筒と、この外筒内に嵌挿し、電車線側に取り付ける内筒とを備え、電車線の伸縮に応じてコイルばねの弾性を利用して電車線に一定の張力を付与するようにしたコイルばね方式のものとが汎用されている（例えば、特許文献１及び２参照）。
【０００３】
ところで、従来のコイルばね方式のテンションバランサには、作業員が地上からテンションバランサの動作状態を視認により確認できるように、テンションバランサの動作表示装置として、可動側の内筒と共に移動する平板状の動作表示板を備えるようにしている。
この平板状の動作表示板は、作業員が地上からテンションバランサの動作状態を視認により確認できるように、その表面に目盛りを付すようにしていた。
【０００４】
しかしながら、このテンションバランサの動作表示装置に備えられる動作表示板は、平板状に形成されているため、作業員の位置によって視認しにくい場合があるだけでなく、風圧、電車の通過、その他の振動によりテンションバランサが振れると共振しやすく、地上からの視認が困難になり、広範囲に亘って設置されているテンションバランサの点検、確認に、手数を要し、コストがかかるという問題があった。
また、従来の動作表示板は、共振することにより騒音が発生しやすいという問題も有していた。
【０００５】
上記従来のテンションバランサの動作表示装置の有する問題点に対処するため、本件出願人らは、先に、風圧、電車の通過、その他の振動により共振しにくく、また、視認性が良好で、作業員の位置にかかわらず確実にテンションバランサの動作状態を確認することができるテンションバランサの動作表示装置を提案した（特許文献３参照）。
このテンションバランサの動作表示装置は、電車線の伸縮に応じた内筒の出没移動動作に追従して移動するように、内筒に、断面形状が円形又は多角形で、外周面にリング状の目盛りを付した動作表示ロッドの基端を取り付け、さらに、動作表示ロッドに、動作表示ロッドを保持するガイド金具を挟んで、変位表示片を、動作表示ロッドの移動に対し摺動可能に嵌挿するように構成されていた。
【０００６】
このため、このテンションバランサの動作表示装置は、所期の目的を達成するものであったが、依然として、テンションバランサの動作状態を遠距離から視認しにくく、特に、テンションバランサの変位量が所定値を超えた場合の確認を遠距離から視認することが困難であった。
【特許文献１】実公昭６０−８５０４号公報
【特許文献２】特開平９−３３２０１号公報
【特許文献３】特開２００１−２７５２４０号公報
【発明の開示】
【発明が解決しようとする課題】
【０００７】
本発明は、上記従来のテンションバランサの動作表示装置の有する問題点に鑑み、テンションバランサの変位量が所定値を超えた場合等に、遠距離からでも確実にテンションバランサの動作状態を視認により確認できるようにしたテンションバランサの動作表示装置を提供することを目的とする。
【課題を解決するための手段】
【０００８】
上記目的を達成するため、本発明のテンションバランサの動作表示装置は、電車線の伸縮に応じてコイルばねの弾性を利用して電車線に一定の張力を付与するようにしたテンションバランサにおける電車線の伸縮に応じたテンションバランサの変位量を表示するテンションバランサの動作表示装置において、電車線の伸縮に応じたテンションバランサの変位に追従して移動するように動作表示ロッドを取り付けるとともに、テンションバランサの変位量が所定値を超えた場合に、動作表示ロッドから離脱して表示を行う表示部材を配設したことを特徴とする。
【０００９】
この場合において、表示部材が、動作表示ロッドに嵌挿した変位表示片からなり、テンションバランサの変位量が所定値を超えた場合に、前記変位表示片が動作表示ロッドの端部から離脱して該端部に吊り下げた係止部に係止されるようにすることができる。
【００１０】
また、表示部材が、動作表示ロッドに嵌挿した変位表示片に操作される揺動変位表示片からなり、テンションバランサの変位量が所定値を超えた場合に、前記揺動変位表示片の先端部の係止が解除されて揺動変位表示片の先端部が動作表示ロッドから離脱して揺動変位表示片が吊り下げ状態にされるようにすることができる。
【発明の効果】
【００１１】
本発明のテンションバランサの動作表示装置によれば、電車線の伸縮に応じたテンションバランサの変位に追従して移動するように動作表示ロッドを取り付けるとともに、テンションバランサの変位量が所定値を超えた場合に、動作表示ロッドから離脱して表示を行う表示部材を配設するようにしているので、テンションバランサの変位量が所定値を超えた場合等に、遠距離からでも確実にテンションバランサの動作状態を視認により確認することができる。
【発明を実施するための最良の形態】
【００１２】
以下、本発明のテンションバランサの動作表示装置の実施の形態を、図面に基づいて説明する。
【実施例１】
【００１３】
図１〜図３に、本発明のテンションバランサの動作表示装置の一実施例を示す。
このテンションバランサの動作表示装置は、コイルばね１４、１５を内蔵し、外筒１１と、中筒１３を介して、外筒１１内に嵌挿し、電車線側に取り付ける内筒１２とを備え、電車線の伸縮に応じてコイルばね１４、１５の弾性を利用して電車線に一定の張力を付与するようにしたコイルばね方式のテンションバランサ１に適用されるもので、電車線の伸縮に応じた内筒１２の出没移動量を表示するためのものである。
【００１４】
そして、このテンションバランサ１は、特に限定されるものではないが、外筒１１の基端側を電柱、ポールなどの固定側（図示省略）に取り付けて固定し、一方、内筒１２の先端に配設した取付具３を直接又は碍子を介して電車線Ｔに接続し、電車線にかかる張力を外筒１１と中筒１３間及び中筒１３と内筒１２間に配設したコイルばね１４、１５を圧縮するように作用させて、電車線の気温変化による伸縮や風圧、電車の通過等により揺れても、電車線に一定の張力を付与するようにしつつ、張架できるようにしたものである。
【００１５】
そして、テンションバランサ１には、電車線の伸縮に応じた内筒１２の出没移動量を表示するための動作表示ロッド２を、テンションバランサ１の長手方向に沿うように間隔をおいて、かつ、その基端を内筒１２の先端部に配設した取付具３を介して、ねじ、かしめ、溶接等にて取り付け、これにより、電車線の伸縮に応じた内筒１２の出没移動動作に追従して移動するようにする。
また、動作表示ロッド２が内筒１２の出没移動動作に追従して移動するとき、動作表示ロッド２の外周部を摺動可能に支持するガイド部材４を外筒１１に垂設し、動作表示ロッド２を支持し、特に限定されるものではないが、このガイド部材４を、動作表示ロッド２による計測の基準点として用いるようにする。
【００１６】
この場合において、動作表示ロッド２には、テンションバランサ１の動作状態を検知するための測定手段を備える。
この測定手段としては、図１に示すように、視認により動作表示を確認できるようにするほか、センサにより自動的に確認できるようにすることもできる。
【００１７】
このうち、視認により動作表示を確認できるようにする場合は、動作表示ロッド２に、断面形状が円形（又は六角形等の多角形）の中空又は中実のものを用い、その外周面にリング状の目盛りを付すようにする。
目盛りは、特に限定されるものではないが、動作表示ロッド２のほぼ全長に亘って一定間隔で表示するようにする。
なお、目盛りは、動作表示ロッド２に塗料を塗布することによって形成することができるが、塗料には、通常の塗料のほか、汚れが付きにくいフッ素樹脂系や酸化チタン系の塗料を用いたり、暗い場合の視認性を良好にするために夜光塗料を用いることができる。
また、暗い場合の視認性を良好にするために、目盛りに加えて、発光ダイオード等の適宜の発光体を併設することができる。
また、雪等により凍結して、動作表示ロッド２の視認性が低下したり、動作表示ロッド２が内筒１２の出没移動動作に追従して移動することが阻害されないように、動作表示ロッド２にヒータ等の加熱手段を設けることができる。
これにより、動作表示ロッド２を、風圧、電車の通過、その他の振動により共振しにくくし、また、視認性を良好にして、作業員の位置にかかわらず確実にテンションバランサ１の動作状態を、テンションバランサ１の最大伸縮許容位置及び最小伸縮許容位置までどの程度の余裕があるか等を含め、容易に確認することができるようにすることができる。
【００１８】
そして、動作表示ロッド２には、動作表示ロッド２を保持するガイド部材４を挟んで、変位表示片５１、５２を、動作表示ロッド２の移動に対し摺動可能に嵌挿することができる。
この変位表示片５１、５２は、動作表示ロッド２に摺動可能に嵌挿するが、風圧、振動などによっては移動しないように、例えば、変位表示片５１、５２を、重量のある金属、伸縮可能なゴム又は合成樹脂で以て形成し、動作表示ロッド２との間で所定の摺動抵抗を有するようにすることが望ましい。
また、この変位表示片５１、５２を地上から容易に確認できるように、目立つ色に着色する等により識別可能にすることができる。
これにより、動作表示ロッド２が移動する際、変位表示片５１、５２がガイド部材４の側面に当接して動作表示ロッド２に沿って移動し、その後、動作表示ロッド２が復帰する方向に移動しても、その位置に取り残されるようになるため、変位表示片５１、５２の位置により、過去におけるテンションバランサ１の最大伸縮位置及び最小伸縮位置を簡単に把握、検知することができ、テンションバランサ１及び電車線の事故の発生を未然に防止することができる。
【００１９】
さらに、本実施例においては、動作表示ロッド２に嵌挿した最大伸縮位置を表示する一方の変位表示片５１を、テンションバランサ１の変位量が所定値を超えた場合に、表示部材としての変位表示片５１が動作表示ロッド２の端部から離脱して該端部に吊り下げた係止部２１に係止されるようにしている。
【００２０】
また、動作表示ロッド２に嵌挿した最小伸縮位置を表示する他方の変位表示片５２の基端側に、この変位表示片５２に操作される揺動変位表示片５３を配設し、テンションバランサ１の変位量が所定値を超えた場合に、変位表示片５２を介して、表示部材としての揺動変位表示片５３を押し移動させることにより、揺動変位表示片５３の先端部５３ａと取付具３に係止したフック片５３ｂとの係止が解除されて揺動変位表示片５３の先端部５３ａが動作表示ロッド２から離脱して揺動変位表示片５３が吊り下げ状態にされ、揺動変位表示片５３に取り付けた表示板５３ｃが視認されるようにしている。
【００２１】
このテンションバランサの動作表示装置によれば、電車線Ｔの伸縮に応じたテンションバランサ１の変位に追従して移動するように動作表示ロッド２を取り付けるとともに、テンションバランサ１の変位量が所定値を超えた場合に、動作表示ロッド２から離脱して表示を行う表示部材として、変位表示片５１及び揺動変位表示片５３を配設するようにしているので、テンションバランサ１の変位量が所定値を超えた場合等に、遠距離からでも確実にテンションバランサ１の動作状態を視認により確認することができる。
【００２２】
以上、本発明のテンションバランサの動作表示装置について、その実施例に基づいて説明したが、本発明は、上記実施例に記載した構成に限定されるものではなく、実施例に記載した構成を適宜選択して適用する等、その趣旨を逸脱しない範囲において適宜その構成を変更することができる。
【産業上の利用可能性】
【００２３】
本発明のテンションバランサの動作表示装置は、テンションバランサの変位量が所定値を超えた場合等に、遠距離からでも確実にテンションバランサの動作状態を視認により確認できるという特性を有していることから、トロリー線、メッセンジャー線等の電車線にに好適に用いることができるほか、電車線以外の張架線（本明細書においては、「電車線」として総称している。）に一定の張力を付与するために用いられるコイルばね方式のテンションバランサの動作表示装置に広く採用することができる。
【図面の簡単な説明】
【００２４】
【図１】本発明のテンションバランサの動作表示装置の一実施例を示し、（ａ）は正面図、（Ｂ）は右側面図、（ｃ）は左側面図である。
【図２】テンションバランサの変位量が所定値を超えた状態を示す正面図である。
【図３】テンションバランサの一例を示す一部断面図である。
【符号の説明】
【００２５】
１    テンションバランサ
１１  外筒
１２  内筒
１３  中筒
２    動作表示ロッド
３    取付具
４    ガイド部材
５１  変位表示片
５２  変位表示片
５３  揺動変位表示片
Ｔ    電車線
【図１】
2005160237.tif 000003
【図２】
2005160237.tif 000004
【図３】
2005160237.tif 000005